(57)【要約】      （修正有）【課題】各種多数のカードを格別に仕切られた収納室に一枚ずつ収納可能で、カードの出し入れや識別が容易で、コンパクトなカード収納体を提供する。更には、カードと共にカード以外の他の書類等が収納可能なカード収納体を提供する。【解決手段】本体を二つ折り、三つ折り等に折り曲げて使用するカード収納体1であって、この収納体は、本体の開閉によりカード収納室4の幅が変化する少なくとも二室のカード収納室4が形成された収納襞3を本体内面に備えたカード収納体。又カード収納室4と共に長さが大である他の書類等の収納室を備えたカード収納体。【選択図】図１
2005111244.tif 000002
【特許請求の範囲】
【請求項１】
本体を折り曲げて使用するカード収納体であって、このカード収納体は本体の開閉により幅が変化するカード収納室を少なくとも二室備えた収納襞を本体内面に備えたことを特徴とするカード収納体。
【請求項２】
収納襞を２から１０個備え、かつ隣接する収納襞間に本体の開閉により幅が変化するカード収納室を備えた請求項１に記載のカード収納体。
【請求項３】
本体内面に更にカード収納室より長さが長い書類収納室を備えた請求項１又は２に記載のカード収納体。
【請求項４】
カード収納室が四辺形である請求項１から３いずれかに記載のカード収納体。
【請求項５】
カード収納室が六角形である請求項１から３いずれかに記載のカード収納体。
【請求項６】
収納襞は硬質布帛が使用され、且つカード収納室が糸による縫着により形成されたものである請求項１から５いずれかに記載のカード収納体。
【請求項７】
収納襞は硬質布帛が使用され、且つカード収納室が接着剤による接着により形成されたものである請求項１から５いずれかに記載のカード収納体。
【請求項８】
本体は第１の硬質芯材に表面布帛が接合された表面部材が配置され、第２の硬質芯材に内面布帛が接合された内面部材が表面部材の内側に配置され且つ表面部材に接合されたものである請求項１から７いずれかに記載のカード収納体。
【請求項９】
第一の硬質芯材は凹状線を備えた中央折り曲げ部を有し、更に芯材の延設部に狭小で長い折り曲げ部空隙が配置された請求項８に記載のカード収納体。
【請求項１０】
第二の硬質芯材は凹状線を備えた中央折り曲げ部を有し、更に芯材の延設部に狭小で長い折り曲げ部空隙が配置された請求項８に記載のカード収納体。
【請求項１１】
表面布帛がクレープ加工された布であり、内面布帛が布である請求項８に記載のカード収納体。
【請求項１２】
本体に留め具を備えた請求項１から１１いずれかに記載のカード収納体。
【発明の詳細な説明】
【技術分野】
【０００１】  本発明はカード収納体に関する。更に詳しくは各種多数のカードを一個の収納体に一枚ずつ格別に収納出来、しかも収納体を開くとカードが立体的に立ち上がりカードの出し入れや識別等が容易なカード収納体に関する。更にはカードと共に他の書類や紙幣等の収納が可能で、カード等に折れ曲がり等が発生せず、コンパクト性に優れたカード収納体に関する。
【背景技術】
【０００２】  金融機関や各種サービス機関が発行した多数のカードが使用されている。従来カード収納体としてカード収納室を備えた財布が使用されていた。このような財布として特許文献１に一方の内面に紙幣収納室を備え、他方の内面に段状に形成されたカード収納室を備えた財布が開示されている。
又特許文献２や特許文献３に内面の両側に段状に形成されたカード収納室を備えた財布が開示されている。前記３件に開示された技術にあってはある程度のカードは収納可能かも知れないが、多数のカードをそれぞれの収納室に一枚ずつ収納することは不可能である。多数のカードを収納する場合、カード収納室一室に複数のカードを重ねて収納する必要があリ、必然的にカードの識別が困難となる。また一室に一枚ずつ収納する場合、多数のカード収納室を備える必要があり、コンパクト性に劣る大型の財布となる。【０００３】  特許文献４にカバー材の内部に合成樹脂シート等が山谷折りされ、収納室が蛇腹状に形成された小物収容具が開示されている。又特許文献５にカバー本体の内部に交互に複数箇所折り曲げた蛇腹体を一端側面から二つ折りにし、折り返し面を接着した扇状の蛇腹体を備えたカードケースが開示されている。
上記二件に開示されたものは収納室が蛇腹体に形成されているので本体の開閉によりカードが立体的に立ち上がるという効果がある。しかし収納室が一個の蛇腹体に一室であり、多数のカードを収納することは困難である。又前記特許文献５に開示されたカードケースの場合、各収納室は仕切りの無い蛇腹体の対向する略Ｖ間の空間部の両端にカードの両端部が挟み込まれるように収納される。従って、開閉時やカード出し入れ時にカードが隣接する収納室にカードの一方の端部がずれた状態で収納され易い。従ってカードケースを折り曲げた時カードケースやカードが損傷し易い。
【特許文献１】  特開平９−３０８５１３
【特許文献２】  特開２００１−２３８７１４
【特許文献３】  登録実用新案公報第３０６４０７６
【特許文献４】  特開平９−１５６６４８
【特許文献５】  実開平１−１３１５７１
【発明の開示】
【発明が解決しようとする課題】
【０００４】  本考案は前記背景技術の課題を解決するために成されたものであり、多数のカードを一個の収納体に一枚ずつ格別に収納可能で、収納体を開くとカードが立体的に立ち上がり、カードの出し入れが容易で、しかもカードの識別が容易なカード収納体を提供するものである。又カード以外の他の書類や紙幣等も同時に収納可能で、しかもコンパクト性に優れたカード収納体を提供するものである。
【課題を解決するための手段】
【０００５】  本発明は前記課題を解決するため、カード収納室や本体を構成する材料や構成等を鋭意研究し成されたものであり、以下に示すようなカード収納体を提供するものである。
（１）  本体を折り曲げて使用するカード収納体であって、このカード収納体は本体の開閉により幅が変化するカード収納室を少なくとも二室備えた収納襞を本体内面に備えたことを特徴とするカード収納体。
（２）  収納襞を２から１０個備え、かつ隣接する収納襞間に本体の開閉により幅が変化するカード収納室を備えた請求項１に記載のカード収納体。
（３）  本体内面に更にカード収納室より長さが長い書類収納室を備えた請求項１又は２に記載のカード収納体。【０００６】（４）  カード収納室が四辺形である請求項１から３いずれかに記載のカード収納体。
（５）  カード収納室が六角形である請求項１から３いずれかに記載のカード収納体。
（６）  収納襞は硬質布帛が使用され、且つカード収納室が糸による縫着により形成されたものである請求項１から５いずれかに記載のカード収納体。【０００７】（７）  収納襞は硬質布帛が使用され、且つカード収納室が接着剤による接着により形成されたものである請求項１から５いずれかに記載のカード収納体。
（８）  本体は第１の硬質芯材に表面布帛が接合された表面部材が配置され、第２の硬質芯材に内面布帛が接合された内面部材が表面部材の内側に配置され且つ表面部材に接合されたものである請求項１から７いずれかに記載のカード収納体。
（９）  第一の硬質芯材は凹状線を備えた中央折り曲げ部を有し、更に芯材の延設部に狭小で長い折り曲げ部空隙が配置された請求項８に記載のカード収納体。【０００８】（１０）  第二の硬質芯材は凹状線を備えた中央折り曲げ部を有し、更に芯材の延設部に狭小で長い折り曲げ部空隙が配置された請求項８に記載のカード収納体。
（１１）  表面布帛がクレープ加工された布であり、内面布帛が布である請求項８に記載のカード収納体。
（１２）  本体に留め具を備えた請求項１から１１いずれかに記載のカード収納体。
【発明の効果】
【０００９】  本発明の前記（１）の構成によれば収納襞一個に二個以上のカード収納室を備えているので、多数のカードが収納可能である。又カード収納室は開閉によりその幅が広幅状態から密着状態まで変化するように構成されている。従って本体を開くとカードが立体的に立ち上がりカードの出し入れが容易に出来、しかもカードの識別が容易である。又本体を開くとカード収納室の幅が広幅状態となると共にカード収納室の長さが小となるので、収納されたカードが挟み込まれるようになる。従って、多数のカードを収納しても、カードが脱落することが無い。【００１０】  前記（２）の構成によれば収納襞間にもカード収納室があるので、更に多数のカードが収納可能である。【００１１】  前記（３）の構成によれば紙幣、健康保健証等のような他の書類等を同時に収納可能である。【００１２】  前記（４）の構成によればカード収納室が単純な構造の菱形等のような四辺形であるので、比較的生産性良く製造可能である。又開いたときその幅を大きくとることが可能である。従って出し入れや識別等がより好ましく出来る。【００１３】  前記（５）の構成によれば本体を開いたときカード収納室が六角形状で開くので、カードの出し入れが好ましくできる。又カードの識別が好ましく出来る。【００１４】  前記（６）の構成によれば、カード収納室は硬質材料が使用され、糸で縫着さているので、カードの出し入れが容易に出来、しかもカードが曲がったりせず形状保持性よく長期間使用できる。又カード収納室を容易に製造できる。【００１５】  前記（７）の構成によればカード収納室は硬質材料が使用され、接着剤で接着されているので六角形状のカード収納室を容易に製造できる。又カードの出し入れや識別等が容易に出来る。【００１６】  前記（８）の構成によれば、本体は硬質材料が使用されているので形状保持性がよいカード収納体となる。又カードに曲がり等が発生せず、長期間使用できる。又表面布帛や内面布帛が配置されているので手触りや風合いのよいものとなる。【００１７】  前記（９）の構成によれば第一の硬質芯材に細長い凹状の線や、狭小で長い空隙を備えているので、中央折り曲げ部や、蓋体として機能する延設部で内側に折り曲げた時、確実に直線状に折り曲げることが出来る。又折り曲げ時、折り曲げ抵抗が無くスムーズに折り曲げることが出来る。【００１８】  前記（１０）の構成によれば第二の硬質芯材に細長い凹状の線や、狭小で長い空隙を備えているので、表面部材の各折り曲げ部に適合よく重ねあわせる事が出来又中央折り曲げ部や、蓋体として機能する延設部で内側に折り曲げた時、確実に直線状に折り曲げることが出来る。又折り曲げ時、折り曲げ抵抗が無くスムーズに折り曲げることが出来る。【００１９】  前記（１１）の構成によればカード収納体の表面の手触りがザラツキ感のある良い風合いの物となる。又表面がボリューム感のあるよい風合いの物となる。【００２０】  前記（１２）の構成によれば、本体を折り曲げカード収納室を密着し、止め具で固着するのでカードの抜け落ちを阻止できる。しかも多数のカードを収納したときカード収納体を携帯し易いコンパクトなものとなる。
【発明を実施するための最良の形態】
【００２１】  以下図面を参照しながら本発明に係るカード収納体を実施するための最良の形態を説明する。なおカード収納体を単に収納体と称することがある。
図１は本発明に係るカード収納体を開いたときの概略斜視図である。図２はカード収納体を開いたときの概略平面図である。図３はカード収納体を閉じたときの概略断面図である。
本発明の実施形態に係るカード収納体１は形態保持性を有する本体内面に多数のカード収納室を備え、本体の中央折り曲げ部Ｖで折り曲げて使用するように構成されている。この折り曲げ部Ｖの左側内面と右側内面に狭み込まれるように収納襞３及び収納襞に備えられたカード収納室４を多数備えている（図１、図２）。この収納襞３は一個の収納襞に少なくとも二室のカード収納室４を備えている。又カード収納室は本体の開閉により幅が変化するように構成されている。
又本体は延設部を有し、カード収納体を包み込むような蓋体を構成している（図１、図３）。しかしこの延設部はなくとも良い。なお本体は、形態保持性を有する物が配置されている。【００２２】  本体２は各種の材料が使用可能である。例えば各種の板紙、合成樹脂板、木質板、硬質化された布、硬化剤で処理された板紙、不織布、熱融着や接着剤等で処理された不織布等が例示できる。前記材料単独、又は前記材料と各種布帛等を接合又は重ね合わされた物等何れも使用可能である。例えば板紙に織物や不織布等が接合された物、不織布に他の不織布や織物等が接合された物、板紙に合成樹脂フイルムが熱接着され更に織物が接合された物等が例示できる。【００２３】  図１３は表面部材の平面図である。図１４は第二硬質芯材の平面図である。図１５は内面部材の平面図である。図１６は表面部材と内面部材の配置関係を説明するための平面図である。
本体２は多層構造の物が好ましく使用できる。この例として主としてその表面部を形成する表面部材１３、主としてその内面部を形成する内面部材２５がその順に配置されたものが例示できる（図２、図１３、図１５、図１６）。
表面部材は第一の硬質芯材１４が配置されている。又内面部材２５は第二の硬質芯材１６が配置されている。ここで硬質芯材とは、手で触ったとき硬い感触があり、指で押した時凹みがほとんどないか又は僅かに凹むものを言う。硬質芯材として前記本体に使用されうる種々の材料が使用可能である。とりわけ板紙や合成樹脂板、不織布等が曲げ追従性、加工時の切断性のよさ、価格等の点で好ましく用いられる。又板紙は適度の吸湿性があるという点で好ましく用いられる。【００２４】  硬質芯材は厚みが約０・１から１・４ｍｍであり好ましくは約０．１５から１・３ｍｍであり、更に好ましくは約０．２から１・２ｍｍである。厚みが約０・１ｍｍ未満であると本体の剛性が不足し、保形性が悪く曲がり易く、しかも取り扱いにくくなる。又厚みが約１・４ｍｍを超えると製造時加工性が悪くなる。又本考案の実施形態においては、第一の硬質芯材は第二の硬質芯材より厚みが厚いものが好ましい。第一の硬質芯材を厚く構成し保形性を持たせ、第二の硬質芯材を薄く構成し、収納体全体の厚みを小さくし、保形性とコンパクト性を具現することが好ましい。【００２５】  又第一硬質芯材１４は全体が一枚物でカード収納体の上蓋を形成する長さの延設部２０を有する物が好ましい（図１３）。即ち長さは本体の長さｄとほぼ同じで約１５から２５ｃｍ、幅は本体を折り曲げた時の幅ｆの約２から４倍あればよく約２０から４０ｃｍあれば良い（図１、図１３）。
又第二硬質芯材１６は長さや幅が第一硬質芯材と同じか、又は第一硬質芯材よりも長さや幅が約１から１０ｍｍ短いものが用いられる。短い物は後記のように表面部材に内面部材を配置したとき、内面部材の縁部が表面部材で保護される（図１６）。【００２６】  第一硬質芯材１４及び第二硬質芯材１６はそれぞれ本体の中央折り曲げ部Ｖに相当する部位に狭小で長い凹状の線Ｈを少なくとも一本有する物が好ましい。この凹状線は折り曲げ部の幅ｎをもって二本形成されているものが好ましい。この凹状線はナイフ等による溝切線、プレスによる凹状線等いずれであつても良い。又その上下の端部１９はこの線が無いもの、あるものいずれでも良い。又この線Ｈの深さは、芯材の厚み全部又は厚みの途中までがナイフ等で溝切等されていても良い。
又本体の延設部の折り曲げ部Ｌに相当する部位に狭小で長い折り曲げ部空隙Ｍがあるものが好ましい。この幅ｎ、ｍは折り曲げ幅に相当し、幅約０・１から７ｍｍである。又この空隙Ｍの上下の端部に芯材を支持する端部１８がある。この端部１８の幅ｂは約１から２０ｍｍあればよい。又前記中央折り曲げ部に線Ｈの代わりに狭小で長い折り曲げ部空隙Ｍが削設されていても良い。【００２７】  表面部材１３は第一硬質芯材が表面布帛５でその表面側から内側即ち内面部材側に包み込まれるように覆われ、折り曲げ部１５が内側に折り曲げられ芯材に接合されている（図１３）。この折り曲げ部の幅は約５から３０ｍｍである。又芯材の内面全体が覆われていても良い。この表面布帛５は織物、編み物、不織布、皮革、合成皮革、合成樹脂フイルム、前記布帛の併用物等いずれも使用可能である。クレープ加工された織物、刺繍等が施された布等が好ましく用いられる。【００２８】  内面部材２５は本体の内面部を構成する。この内面部材は第二の硬質芯材１６がその内側から外側即ち表面部材側に包み込むように覆われて、その折り曲げ部の布帛が第二の硬質芯材に接合されている。又表面部材と内面部材は接合されている。
又内面布帛は前記表面布帛に例示した布帛と同様の布帛が使用可能である。又内面布帛は本体の開閉にある程度の追従性がある状態で接合されたものが好ましい。【００２９】  図１６に示すように、表面部材１３に内面部材２５が本体の中央折り曲げ部Ｖ及び延設部Ｌを合致するように重ね合わされ両部材が接合されている。又内面部材が表面部材より長さや幅が小さく構成されているので、表面布帛が幅ｃで内面側に現れる（図１６）。【００３０】  前記硬質芯材と布帛の接合、表面部材と内面部材の接合は各種の接合が適用可能である。例えば糸による縫着、接着剤による接着、鋲による接合等が例示できる。しかし接着剤によるものは面状で接着でき、硬質芯材の空隙Ｍ部の両端部を布帛で補強可能であるという点で好ましく用いられる。【００３１】  図４は本体に収納襞の側面が二箇所ずつ線状に接合されたカード収納襞群１２の模式図である。図５はその閉じつつあるときのカード収納襞群の模式図である。本発明の実施形態において一個の収納襞３に少なくとも二室のカード収納室４を備えた収納襞が配置されている。図４では、７個の収納襞が配置されている。このカード収納室は本体の開閉により幅ｗが変化するように構成されている。又開閉によりカード収納室の長さｐも変化する。
収納襞３は二枚の襞部材１０が上端部近傍及び下端部近傍及びその中央部で接合され、略菱形の二室のカード収納室が形成されている。又それぞれの収納襞３は隣接するカード収納室のほぼ中央部近傍で接合されている、又最初の収納襞と最後の収納襞は襞部材１０が本体に接合されている。この接合部Ｂは前記のような縫着等いずれの接合でも良い。
又本体と収納襞間にそれぞれ一室ずつのカード収納室１１を備えている。【００３２】  本発明の実施形態において、カード収納室の構造、収納襞の構成、多数の収納襞が集合した収納襞群の構成は種々の構成の物が例示できる。
図６、図７、図８、図９はカード収納室や収納襞群の模式図である。なおそれぞれの図は本体を開いたときの図である。
図６の例は収納襞を七個備え最初の収納襞と最後の収納襞が接合部Ｂで本体に面状で接合されている。この接合部Ｂに隣接する左右二室２６は長さがカード収納室一室の長さの約２倍あり書類収納室を形成している。又この書類収納室に隣り合うカード収納室の一辺はゆるやかな弧状を形成している。接合部Ｂは接着、縫着いずれであつても良い。【００３３】  図７の例は収納襞３を七個備え最初の収納襞と最後の収納襞が一箇所ずつ接合部Ｂで本体に線状で接合されている。この接合部Ｂに隣接する左右二室２６は長さがカード収納室一室の長さの約２倍あり書類収納室を形成している。又この書類収納室に隣り合うカード収納室の一辺はゆるやかな弧状を形成している。接合部Ｂは接着、縫着いずれであつても良い。
又図８の例は収納襞３を七個備え最初の収納襞と最後の収納襞が三箇所ずつ接合部Ｂで本体に線状で接合されている。【００３４】  図９の例は収納襞３を五個備え最初の収納襞と最後の収納襞が一箇所ずつ接合部Ｂで本体に面状で接合されている。又カード収納室は六角形になっている。この接合部Ｂに隣接する左右二室２６は長さがカード収納室一室の長さの約２倍あり書類収納室を形成している。又この書類収納室に隣り合うカード収納室の一辺はゆるやかな弧状を形成している。襞部材の接合部Ｓや本体と襞部材の接合部Ｂは接着、縫着いずれであつても良い。【００３５】  本発明の実施形態に備えている収納襞は襞部材１０を接合したものや襞部材を折り曲げプレス加工したもの等各種のものが例示できる。又襞部材１０は硬質な布帛が好ましく用いられる。例えば織物、編物、不織布、紙、皮革、合成皮革、合成樹脂フイルム等の布帛であって硬質である物が好ましく用いられる。勿論前記布帛が他の材料と積層されたものや前記布帛単独又は各種の布帛と積層され熱処理、熱圧着ロール処理、プレス処理、硬化剤処理等された物等を使用する事が出来る。
なお硬質とは、手で触ったとき硬い感触があり、指で押した時凹みがほとんどないか又は僅かに凹むものを言う。【００３６】  収納襞３は接合形態が各種の物が例示できる。図１０は糸で縫着された収納襞の正面図である。図１０に示ように二枚の襞部材を重ね合わせ、その両方の端部９の近傍及び中央部を縫着ライン１７のように糸で縫着した収納襞２３が例示できる。隣接する収納襞の接合は糸で逢着し縫着ライン２２で手前側及び奥側に接合される。このライン２２は本体内面に配置される最初と最後の収納襞と本体の接合ラインにも相当する場合がある。図１０に示す収納襞を開いたとき、図１２に示すような四辺形で略菱形のカード収納室が二室形成される。【００３７】  図１１は接着剤で接合された収納襞２４の正面図である。一枚の襞部材を左右一箇所ずつ折り曲げ、中央部で接着幅ｇで接着ライン２７のように接着されている。又隣接する襞部材のカード収納室一室同士の中央部が左右の接着ライン２７のように接着されている。この接着幅ｇは約１．５から１５ｍｍで、好ましくは約２から１２ｍｍである。この左右の接着ライン２７は本体内面に配置される最初と最後の収納襞と本体の接合ラインにも相当する場合がある。図１１に示す収納襞を開いたとき、図９に示すような六角形のカード収納室が二室形成される。【００３８】  本発明の実施形態に係る収納襞３は深さｈが約３０から９０ｍｍであり、好ましくは約３５から８０ｍｍ、更に好ましくは約４５から７０ｍｍである。又カード収納室を密着したときの全体の長さはカード収納室一個の長さｐの約２倍以上あればよい。即ち一個の収納襞にカード収納室が二室あるときはｐの約２倍以上で、三室あるときはｐの約３倍以上あればよい。この一室ｐの長さは約５５から８０ｍｍであり、好ましくは約５７から７０ｍｍである。幅ｐを前記のように設定することにより、カード収納室の幅ｗ即ち本体の開閉方向の幅は約０から約ｐの幅変化する。しかし収納襞が本体に接合されているので実質的に変化するこの幅ｐは約１から４０ｍｍである。【００３９】  収納襞３は図１や図１２に示すようにその底部が接合されていなくともよい。底部が接合されていない収納襞の場合、図１に示すようにその底部を本体内面に空隙部Ｋを有するように配置することにより、カードの底部が本体の中央折り曲げ部Ｖ近傍に挟み込まれるように収納される。又収納襞の底部は接合されていても良い。底部が接合された物はカード以外の各種小物類の収納が可能である。
又本考案においては、本体内面に収納室の形状が異なるカード収納襞を備えることが出来る。又多数の収納襞のいずれかの部位に長さ、幅、深さ等の異なる書類収納室を備えていても良い。
【実施例１】
【００４０】  硬質芯材が二枚配置された本体の内面に収納襞を７個備えたカード収納体１を製造した（図１）。この収納襞は一個の収納襞に四辺形で菱形のカード収納室を二室備えたものであった。第一の硬質芯材１４として厚み０・５ｍｍの板紙を用いた。この芯材は長さ１５８ｍｍ、延設部を含む全体の幅が３０５ｍｍで、延設部２０の幅が８２ｍｍであつた。又本体の中央折り曲げ部Ｖに相当する部位にナイフで溝切りし２本の凹状線Ｈを芯材の長さ分付与した。このＨの深さは約０・２５ｍｍであつた。又この幅ｎは４ｍｍであつた。又本体の延設部の折り曲げ部Ｌに相当する部位に幅ｍが４ｍｍの硬質芯材折り曲げ部空隙Ｍを削設した。このＭの上下の端部１８の幅ｂは１０ｍｍであつた。
表面布帛としてクレープ加工されたレーヨン織物を用い第一硬質芯材の寸法よりその折り曲げ部の幅分大きい寸法の布帛を切断した。この布は淡赤紫色に染色されたものであつた。又この布の所定の位置に略Ｕ状の繊維が多数植毛された留め具８を糸で縫着した。この留め具は長さ２５ｍｍ、幅１７ｍｍであつた。この表面布帛に第一硬質芯材を重ねその折り曲げ部１５を酢酸ビニル系接着剤を用い芯材に接着し図１３に示すような表面部材１３を得た。【００４１】  第二の硬質芯材は厚み０・３５ｍｍの板紙を用いた。前記同様の方法で、長さ１５１ｍｍ、延設部２１を含む全体の全体の幅が２９８ｍｍで、延設部２１の幅が７８ｍｍであつた。二本の凹状線Ｈ、硬質芯材折り曲げ部空隙Ｍ等も前記第一硬質芯材同等に削設した。凹状線の幅ｎや空隙Ｍの幅ｍは前記第一硬質芯材の幅と同じであつた。但し前記凹状線Ｈの端部１９は幅１０ｍｍであり、空隙Ｍの端部の幅は１０ｍｍであつた。又凹状線の深さＨは約０．１５ｍｍであつた。
内面布帛６として濃紫色に染色されたレーヨン綾織物を用いた。この布を切断し折り曲げ部の幅だけ大きい寸法の内面布帛を得た。又この布の所定の位置に略Ｊ状の繊維が多数植毛された留め具８を糸で縫着した。この留め具は長さ２５ｍｍ、幅１７ｍｍであつた。【００４２】  襞部材１０としてレーヨン不織布を用いた。この不織布は硬質であり紺色であつた。
この不織布を切断し、縦１２０ｍｍ、横１４３ｍｍの部材とした。更に二つ折りし、内面同士を酢酸ビニル系接着剤で接着した。縦６０ｍｍ、横１４３ｍｍの襞部材を１４枚得た。この襞部材二枚の縁部近傍や中央部、隣接する収納襞等の所定の場所を糸で縫着し、図１２に示すような収納襞が７個ある収納襞群を得た。なお前記折り曲げ部は繊維毛羽の発生を阻止するためカードの出し入れ口側とした。又最初の襞部材と最後の襞部材は前記内面布帛の所定の位置に二箇所ずつ図４で示すＢの部位を図１２に示す縫着ライン２２のように糸で縫着した。【００４３】  収納襞が縫着された内面布帛を前記第二硬質芯材に重ね、内面布帛の折り曲げ部を表面部材側に折り曲げ酢酸ビニル系接着剤で第二硬質芯材に接着した。更に前記表面部材１３と収納襞が縫着された内面部材を、その中央折り曲げ部Ｖや延設部の折り曲げ部Ｌが一致するように重ね、酢酸ビニル系接着剤で表面部材と内面部材を接着し図１に示すようなカード収納体１を得た。
このカード収納体は幅ｆが１０８ｍｍ、長さｄが１５８ｍｍ、延設部の幅が８２ｍｍであつた。内面の端部に幅ｃが３ｍｍ表面布帛が現れたものであつた。この収納体は収納襞３の深さｈが６０ｍｍ、密着したときのカード収納室一室の長さｐが６８ｍｍであつた。又本体を開いたときのカード収納室の幅ｗは中央部の収納室で約２２ｍｍであつた。本体を閉じたときの収納襞底部Ｋの距離は１０ｍｍであつた。この収納体は７個の収納襞に１４室のカード収納室４を備え、更に隣接する収納襞間に同じ寸法のカード収納室７を６室備えるものであつた。又最初の収納襞と本体の間にカード収納室１１が二室備えたものであつた。このカード収納体１は本体を折り曲げ更に留め具８で留めた時カード収納室が密着しカードの収納性が良く、しかも嵩張らずコンパクト性に優れたものであつた。又本体を開いたときそれぞれのカード収納室すべてその幅が大となり、且つ菱形となりカードが立体的に立ち上るものであつた。カードが素早く識別でき、しかも出し入れが容易なものであつた。
【実施例２】
【００４４】  前記実施例１類似の方法で図１７に示すようなカード収納体１を製造した。ただし本体として表面部材のみ使用した。表面部材の硬質芯材として厚み０・９８ｍｍのポリエチレンテレフタレートスパンボンド法不織布を用いた。ただし中央折り曲げ部Ｖ及び延設部折り曲げ部Ｌにそれぞれ一本ずつ幅３ｍｍの狭小な空隙が削設され、その上下の端部に幅１０ｍｍの支持部を有するものを用いた。この硬質芯材は長さが１６８ｍｍ、全体の幅が３２８ｍｍ、延設部の幅が１０８ｍｍであつた。又表面布帛としてクレープ加工されたレーヨン織物を用い、前記実施例１同様酢酸ビニル系接着剤を用い芯材に接着した。この表面布帛は紫色に染色されたものであつた。又所定の位置に前記実施例１に同じ留め具が糸で縫着された物を用いた。又表面部材の内面側に後記収納襞が７個接合された不織布を酢酸ビニル系接着剤を用い接着した。内面側に用いた不織布はレーヨン不織布であつた。この不織布は青色であつた。【００４５】  襞部材１０は麻織物が糊剤処理された硬質な布を用いた。この部材は縦が６０ｍｍ、横が２８０ｍｍであつた。この部材をその両端部が中央部で合うように折り曲げ、更にその両端部をアイロンプレスし両端部をシャープにした。折り曲げ後の寸法は縦が６０ｍｍ、横１４０ｍｍであつた。この部材を７個製造し、酢酸ビニル系接着剤でそれぞれの襞部材の接合部Ｓを図１１、図９及び図１７に示すように接着幅ｇが５ｍｍで接着した。更に最初と最後の収納襞を図９、図１７に示す接合部Ｂのように本体内面に配置するレーヨンスパンボンド法不織布に面状で接着し更にその上下の所定の場所を図１７のように糸で縫着した。図９に類似する収納襞群１２を備えた図１７に示すカード収納体１を製造した。【００４６】  ポリエチレンテレフタレートスパンボンド法不織布を縦８０ｍｍ、横１５０ｍｍに切断し、更に２つ折り後アイロンプレスし縦４０ｍｍ横１５０ｍｍの部材とした。この不織布は黒色であつた。この部材を前記カード収納体の延設部の内面の布にその書類出し入れ口を除く３方の縁部を糸で縫着し書類収納室２６を形成した。この書類出し入れ口は留め具方向に開口したものであつた。なおこの書類収納室は前記布帛を表面部材に接着する前に縫着した。【００４７】  このカード収納体は幅ｆが１０８ｍｍ、長さｄが１６８ｍｍ、延設部の幅が１０８ｍｍであつた。又内面に表面布帛が幅ｃが３ｍｍ現れたものであつた。又それぞれの収納襞間に開閉により幅が変化するカード収納室を備えたものであつた。この収納体は収納襞３の深さｈが６０ｍｍ、密着したときのカード収納室一室の長さｐが６７ｍｍであつた。又本体を開いたときのカード収納室の幅ｗは中央部の収納室で約２０ｍｍであつた。本体を閉じたときの収納襞底部Ｋの距離は１０ｍｍであつた。この収納体は最初と最後の収納襞を除く５個の収納襞に１０室のカード収納室４を備え、更に隣接する収納襞間にカード収納室を６室備えるものであつた。又最初の収納襞と本体の間に書類収納室２６が二室備えたものであつた。このカード収納体は本体を折り曲げとめ具８で留めた時カード収納室が密着しカードの収納性が良く、しかも嵩張らずコンパクト性に優れたものであつた。又本体を開いたときそ���ぞれのカード収納室すべてがその幅が大となり、且つ六角形となりカードが立体的に立ち上がるものであつた。カードが素早く識別でき、しかも出し入れが容易なものであつた。又本体延設部内面に書類収納室を備えたものであつた。
【図面の簡単な説明】
【００４８】
【図１】  カード収納体の概略斜視図。
【図２】  カード収納体の概略平面図。
【図３】  本体を折り曲げたときの概略断面図。
【図４】  本体に収納襞が２箇所ずつ接合された収納襞群を開いたときの模式図。
【図５】  本体に収納襞が２箇所ずつ接合された収納襞群を閉じつつあるときの模式図。
【図６】  本体に収納襞が面状で接合され、かつ書類収納室を備えた収納襞群を開いたときの模式図。
【図７】  本体に収納襞が線状で一箇所ずつ接合され、かつ書類収納室を備えた収納襞群を開いたときの模式図。
【図８】  本体に収納襞が線状で三箇所ずつ接合された収納襞群を開いたときの模式図。
【図９】  カード収納室が六角形で、本体に収納襞が面状で接合され、かつ書類収納室を備えた収納襞群を開いたときの模式図。
【図１０】  糸で縫着された収納襞の正面図。
【図１１】  接着剤で接着された収納襞の正面図。
【図１２】  収納襞を開いたときの斜視図。
【図１３】  表面部材の平面図。
【図１４】  第二の硬質芯材の平面図。
【図１５】  内面部材の平面図。
【図１６】  表面部材と内面部材の配置関係を説明するための概略平面図。
【図１７】  カード収納室が六角形のカード収納体の概略斜視図。
【符号の説明】
【００４９】１    カード収納体
２    本体
３    収納襞
４    カード収納室
５    表面布帛
６    内面布帛
７    収納襞間に形成されたカード収納室
８    留め具
９    収納襞の縁部
１０  襞部材
１１  収納襞と本体間に形成されたカード収納室
１２  カード収納室群
１３  表面部材
１４  第一の硬質芯材
１５  布帛の折り曲げ部
１６  第二の硬質芯材
１７  襞部材の縫着ライン
１８  空隙の端部
１９  凹状線の端部
２０  第一硬質芯材の延設部
２１  第二硬質芯材の延設部
２２  収納襞同士の縫着ライン
２３  糸で縫着された収納襞
２４  接着剤で接着された収納襞
２５  内面部材
２６  書類収納室
２７  襞部材の接着ライン
Ｂ    収納襞と本体の接合部
Ｈ    中央部の凹状線
Ｋ    収納襞底部の空隙部
Ｌ    本体延設部の折り曲げ部
Ｍ    硬質芯材延設部の折り曲げ部空隙
Ｓ    襞部材の接合部
Ｖ    本体の中央折り曲げ部
ｂ    硬質芯材の折り曲げ部空隙端部の幅
ｃ    表面部材が内面に現れる幅
ｄ    本体の長さ
ｆ    本体の幅
ｇ    接着幅
ｈ    カード収納室の深さ
ｍ    空隙の幅
ｎ    凹状線間の幅
ｐ    一個のカード収納室の長さ
ｗ    一個のカード収納室の幅
【図１】
2005111244.tif 000003
【図２】
2005111244.tif 000004
【図３】
2005111244.tif 000005
【図４】
2005111244.tif 000006
【図５】
2005111244.tif 000007
【図６】
2005111244.tif 000008
【図７】
2005111244.tif 000009
【図８】
2005111244.tif 000010
【図９】
2005111244.tif 000011
【図１０】
2005111244.tif 000012
【図１１】
2005111244.tif 000013
【図１２】
2005111244.tif 000014
【図１３】
2005111244.tif 000015
【図１４】
2005111244.tif 000016
【図１５】
2005111244.tif 000017
【図１６】
2005111244.tif 000018
【図１７】
2005111244.tif 000019